(57)【要約】【課題】本考案は、設置作業または調整がしやすいディスプレイ支持装置を提供する。【解決手段】ディスプレイを支持することができると共に、第１の係合部８１を有するように構成されているディスプレイ支持フレーム５と、第１の係合部８１と離脱可能に係合することができるように構成されている第２の係合部８２を有する固定フレーム３と、第１の係合部８１が第２の係合部８２に係合されている際に、固定フレーム３とディスプレイ支持フレーム５とを互いに離れさせる付勢力を与える付勢部８３と、固定フレーム３とディスプレイ支持フレーム５との間に設置され、固定フレーム３とディスプレイ支持フレーム５とが互いに接近したり離間したりできるように固定フレーム３とディスプレイ支持フレーム５とを連接している連接フレーム４と、を有するように構成されていることを特徴とするディスプレイ支持装置。【選択図】図１
0003204051.tif 000002
【実用新案登録請求の範囲】
【請求項１】
ディスプレイを支持することができると共に、第１の係合部を有するように構成されているディスプレイ支持フレームと、
前記第１の係合部と離脱可能に係合できるように構成されている第２の係合部を有する固定フレームと、
前記第１の係合部が前記第２の係合部に係合されている際に、前記固定フレームと前記ディスプレイ支持フレームとを互いに離れさせる付勢力を与える付勢部と、
前記固定フレームと前記ディスプレイ支持フレームとの間に設置され、前記固定フレームと前記ディスプレイ支持フレームとが互いに接近したり離間したりできるように前記固定フレームと前記ディスプレイ支持フレームとを連接している連接フレームと、
を有するように構成されていることを特徴とする、ディスプレイ支持装置。
【請求項２】
前記第１の係合部と前記第２の係合部とにおける１つは、係合突起を有しており、
前記第１の係合部と前記第２の係合部とにおける前記１つ以外の他の１つは、前記係合突起を受入れて、且つ、前記係合突起が摺動することができる係合凹部が画成されていると共に、前記係合突起に対応して、前記係合突起が前記係合凹部に出入自由になるように開けられている開口と、前記係合凹部に進入した前記係合突起と係合して前記係合突起が前記係合凹部内から前記開口へ移動を阻止できるように形成されている係合面を有する係合ブロックと、を備えているように形成されていることを特徴とする、請求項１に記載のディスプレイ支持装置。
【請求項３】
前記係合凹部内には、前記係合突起が前記開口から前記係合凹部内に進入する方向における一側にあって、前記開口と連通し、前記開口から前記係合凹部に進入した前記係合突起を、前記係合面側に面し、前記係合突起に当接することにより、前記固定フレームと前記ディスプレイ支持フレームとの更なる接近を阻止することができる第１の当接面まで案内することができる第１の案内路と、
前記第１の当接面に到達した前記係合突起を前記係合面まで案内することができる第２の案内路と、
前記係合面に到達した前記係合突起を、前記一側の反対側において前記開口側に面し、前記係合突起に当接することにより、前記固定フレームと前記ディスプレイ支持フレームとの更なる接近を阻止することができる第２の当接面まで案内することができる第３の案内路と、
前記一側の反対側にあって、前記第２の当接面に到達した前記係合突起を前記開口まで案内することができる第４の案内路と、が前記係合ブロックの回りに画成されていることを特徴とする、請求項２に記載のディスプレイ支持装置。
【請求項４】
前記固定フレームは、第１の方向に沿って延伸するフレーム本体を有し、
前記フレーム本体は、前記第１の方向に沿って延伸し、且つ、その一面が前記ディスプレイ支持フレームに面する板状体として形成された底板と、前記底板の前記第１の方向及び前記固定フレームと前記ディスプレイ支持フレームとが互いに接近／離間する方向と略直交する第２の方向における両端縁それぞれから前記ディスプレイ支持フレームへ平行に延伸するように形成されている一対の第１の側壁と、前記一対の第１の側壁の前記第１の方向における一端側に、互いに対称するように前記第１の方向に沿って開けられている一対の第１の摺動孔と、を有し、
前記ディスプレイ支持フレームには、前記第２の方向における両端縁から前記固定フレームへ平行に延伸するように形成されている一対の第２の側壁と、前記一対の第２の側壁の前記第１の方向における一端側に、互いに対称するように前記第１の方向に沿って開けられている一対の第２の摺動孔と、を有しており、
前記連接フレームは、回動及び摺動自由に前記第２の摺動孔に挿し込まれている第１の摺動突起と、回動自由に前記固定フレームの一端部の反対端部に枢設され、前記第１の摺動突起の反対側にある第１の回動軸とがそれぞれ突起するように形成されている第１の連接棒と、
回動及び摺動自由に前記第１の摺動孔に挿し込まれている第２の摺動突起と、回動自由に前記ディスプレイ支持フレームの前記一端部の反対端部に枢設され、前記第２の摺動突起の反対側にある第２の回動軸とがそれぞれ突起するように形成されている第２の連接棒と、を有するように構成されている上、
前記第１の連接棒と前記第２の連接棒とが、それぞれの前記の摺動突起及び前記の回動軸の間にある中間部分において互いに回動自由に枢接されていることを特徴とする、請求項１〜３のいずれか一項に記載のディスプレイ支持装置。
【請求項５】
前記固定フレームには、前記第１の係合部と前記第２の係合部とが係合されている際に、前記ディスプレイ支持フレームが前記固定フレームから離れる移動を阻止するように、前記連接フレームが有する前記第２の連接棒に形成されている前記第２の回動軸に係合することができる第３の係合部を有していることを特徴とする、請求項４に記載のディスプレイ支持装置。
【請求項６】
前記ディスプレイ支持フレームは、
前記第１の方向に沿って延伸し、且つ、その一面が前記固定フレーム側に面するように板状体として形成されている調整部底板と、前記調整部底板の前記第２の方向における両端縁から前記固定フレームへ平行に延伸するように形成されている一対の第２の側壁と、前記調整部底板の前記第１の方向における両端から前記固定フレームへ互いに平行に延伸して前記一対の第２の側壁の前記第１の方向における両端それぞれを連接するように形成されている２つの第１の当接壁と、前記２つの第１の当接壁の前記固定フレームに臨む先端それぞれから互いに向き合うように延伸するように形成されている２つの第２の当接壁と、を有する調整部と、
前記第１の方向に沿って延伸し、且つ、その一面が前記調整部側に面するように板状体として形成され、ディスプレイを取り付けて支持することができるように形成されている取付け部が形成されている取付け板と、前記取付け板の前記第２の方向における両端縁から前記一対の第２の側壁の外側で前記一対の第２の側壁と平行に前記固定フレームへ延伸するように形成されている一対の第３の側壁とを有し、前記調整部を前記一対の第３の側壁の間に画成される収容空間内に収容することができる支持部と、を有するように構成され、
前記調整部は、前記一対の第２の側壁の前記第１の方向における両端部それぞれの前記調整部底板と前記第２の当接壁とに挟まれた部分に、互いに対称して前記固定フレームへ向かう方向に沿って延伸するように開けられている二対の第１の調整孔を有し、
前記支持部は、前記一対の第３の側壁の前記第１の方向における両端部それぞれに、互いに対称して前記第１の方向に沿って延伸するように開けられている二対の第２の調整孔を有しており、
更に、前記支持部の前記両端部からそれぞれ前記第１の方向に沿って、前記調整部の前記第１の当接壁に当接するまでねじ込まれ、前記支持部の前記第１の方向における位置を調整できるように構成されている２つの第１の調整ボルトを有している第１の調整手段と、
前記調整部及び前記支持部の各前記両端部にそれぞれ形成されている前記第１の調整孔及び前記第２の調整孔を前記第２の方向に沿って挿通するように配置されている２つの調節棒、及び、前記第２の当接壁に当接するヘッド部と、前記第２の当接壁、前記調整部底板及び前記調節棒を貫通するように延伸して末端が前記ヘッド部と螺結されているねじ部と、前記調整部底板の前記支持部に面する側から前記調整部底板に当接するように前記ねじ部の先端から張り出すフランジ部と、を有するように形成されている２つの第２の調整ボルトを有し、前記支持部の前記第１の方向における両端それぞれに設置されている第２の調整手段と、を有するように構成されていることを特徴とする、請求項４または請求項５に記載のディスプレイ支持装置。
【請求項７】
前記固定フレームは、略前記第２の方向に沿って延伸するレールを更に有し、
前記フレーム本体は、
前記底板から張り出し、前記フレーム本体を前記レールに摺動可能に取り付けることができるように構成されている設置部と、
前記底板に回転自在に枢設されていると共に、前記レールに対する摺動を案内することができる転動輪と、
前記第１の側壁に取付けられ、前記レールに当接して前記フレーム本体の前記レールに対する摺動を阻止できるロック位置と、前記フレーム本体の前記レールに対する摺動を阻止しないリリース位置との間に揺動可能に枢設されている当接部と、を更に有していることを特徴とする、請求項４〜６のいずれか一項に記載のディスプレイ支持装置。
【請求項８】
支持手段と調節手段とを有するディスプレイ支持装置であって、
前記支持手段は、第１の方向に沿って延伸するように形成されている固定フレームと、
前記第１の方向に沿って延伸するように形成され、ディスプレイを取り付けて支持することができるように形成されている取付け部を有しているディスプレイ支持フレームと、
前記固定フレームと前記ディスプレイ支持フレームとの間に設置され、前記固定フレームと前記ディスプレイ支持フレームとが互いに接近したり、離間したりできるように前記固定フレームと前記ディスプレイ支持フレームとを連接している連接フレームと、を有するように構成されており、
前記ディスプレイ支持フレームは、前記第１の方向に沿って延伸し、前記第１の方向における両端部それぞれに、互いに対称して前記固定フレームへ向かう方向に沿って延伸するように開けられている一対の第１の調整孔を有するように形成されている調整部と、
前記調整部を収容する収容空間を画成し、前記第１の方向における両端部それぞれに、互いに対称して前記第１の方向に沿って延伸するように開けられている一対の第２の調整孔を有するように形成されている支持部と、を有するように構成されており、
前記調節手段は、前記支持部の前記両端部からそれぞれ前記第１の方向に沿って、前記調整部に当接するまでねじ込まれ、前記支持部の前記第１の方向における位置を調整できるように構成されている第１の調整手段と、
前記調整部及び前記支持部の前記両端部にそれぞれ形成されている前記第１の調整孔及び前記第２の調整孔を第２の方向に沿って挿通するように配置されている２つの調節棒、及び、前記調整部の前記固定フレームに面する側に当接するヘッド部と、前記調節棒を貫通するように延伸して末端が前記ヘッド部と螺結されているねじ部と、前記調整部の前記支持部に面する側に当接するように前記ねじ部の先端から張り出すフランジ部と、を有するように形成されている２つの第２の調整ボルトを有し、前記支持部の前記第１の方向における両端それぞれに設置されている第２の調整手段と、
を有するように構成されていることを特徴とする、ディスプレイ支持装置。
【請求項９】
前記調整部は、前記第１の方向に沿って延伸し、且つ、その一面が前記固定フレームに面する板状体として形成されている調整部底板と、
前記調整部底板の前記第１の方向及び前記固定フレームと前記ディスプレイ支持フレームとが互いに接近／離間する方向と略直交する第２の方向における両端縁から前記固定フレームへ互いに平行に延伸するように形成されている一対の第２の側壁と、
前記調整部底板の前記第１の方向における両端から前記固定フレームへ互いに平行に延伸して前記一対の第２の側壁の両端それぞれを連接するように形成されている２つの第１の当接壁と、
前記２つの第１の当接壁の前記固定フレームに臨む先端それぞれから互いに向き合うように延伸するように形成されている２つの第２の当接壁と、を有しており、
前記第１の調整孔は、前記一対の第２の側壁の前記第１の方向における両端部の前記第２の側壁の前記調整部底板と前記第２の当接壁とに挟まれた部分それぞれに、互いに対称して前記固定フレームへ向かう方向に沿って延伸するように開けられていることを特徴とする、請求項８に記載のディスプレイ支持装置。
【請求項１０】
前記支持部は、前記第１の方向に沿って延伸し、且つ、その一面が前記調整部に面する板状体として形成され、ディスプレイを取り付けて支持することができるように形成されている取付け部を有している取付け板と、
前記取付け板の前記第２の方向における両端縁から前記一対の第２の側壁の外側で前記一対の第２の側壁と平行して前記第１の方向に沿って延伸するように形成されている一対の第３の側壁と、
前記第１の方向における両端それぞれに、前記２つの第１の当接壁の外側で前記２つの第１の当接壁と平行するように構成されている一対の穿設壁と、を有している上、
前記調整部は、前記一対の第３の側壁の間に画成される収容空間内に収容されていて、
前記第２の調整孔は、前記一対の第３の側壁の前記第１の方向における両端それぞれに、互いに対称して前記第１の方向に沿って延伸するように開けられていることを特徴とする、請求項９にディスプレイ支持装置。
【考案の詳細な説明】
【技術分野】
【０００１】
本考案はディスプレイ支持装置に関し、具体的にはディスプレイの位置を調整できるディスプレイ支持装置に関する。
【背景技術】
【０００２】
一般のディスプレイ支持装置は、単一の方向に沿って調整することしかできないので、調整できる範囲が限られ、すべての使用者に対して見やすい位置に調整することが難しく、且つ、精密な調整ができない。
【０００３】
更に、複数のディスプレイが並んでいるように設置する場合は、設置後に精密な調整ができないので、事前に設置位置を精確に計算することが必要であり、万が一計算ミスまたは設置ミスが生じると、再計算して設置し直さなければいけなく、使用者に対して利便性が不足しているという欠点がある。
【０００４】
また、従来のディスプレイ支持装置でディスプレイを壁に設置する場合は、ディスプレイから壁までの距離が短いので、設置作業または調整ができる空間も狭く、作業または調整がしにくいという欠点がある。
【考案の概要】
【考案が解決しようとする課題】
【０００５】
上記問題点に鑑みて、本考案は、従来のディスプレイ支持装置より設置作業または設置後の位置の調整がしやすいディスプレイ支持装置の提供を目的とする。
【課題を解決するための手段】
【０００６】
上記目的を達成すべく、本考案は、ディスプレイを支持することができると共に、第１の係合部を有するように構成されているディスプレイ支持フレームと、前記第１の係合部と離脱可能に係合できるように構成されている第２の係合部を有する固定フレームと、前記第１の係合部が前記第２の係合部に係合されている際に、前記固定フレームと前記ディスプレイ支持フレームと互いに離れさせる付勢力を与える付勢部と、前記固定フレームと前記ディスプレイ支持フレームとの間に設置され、前記固定フレームと前記ディスプレイ支持フレームとが互いに接近したり離間したりできるように前記固定フレームと前記ディスプレイ支持フレームとを連接している連接フレームと、を有するように構成されていることを特徴とするディスプレイ支持装置を提供する。
【０００７】
また、支持手段と調節手段とを有するディスプレイ支持装置であって、前記支持手段は、第１の方向に沿って延伸するように形成されている固定フレームと、前記第１の方向に沿って延伸するように形成され、ディスプレイを取り付けて支持することができるように形成されている取付け部を有しているディスプレイ支持フレームと、前記固定フレームと前記ディスプレイ支持フレームとの間に設置され、前記固定フレームと前記ディスプレイ支持フレームとが互いに接近したり、離間したりできるように前記固定フレームと前記ディスプレイ支持フレームとを連接している連接フレームと、を有するように構成されており、前記ディスプレイ支持フレームは、前記第１の方向に沿って延伸し、前記第１の方向における両端部それぞれに、互いに対称して前記固定フレームへ向かう方向に沿って延伸するように開けられている一対の第１の調整孔を有するように形成されている調整部と、前記調整部を収容する収容空間を画成し、前記第１の方向における両端部それぞれに、互いに対称して前記第１の方向に沿って延伸するように開けられている一対の第２の調整孔を有するように形成されている支持部と、を有するように構成されており、前記調節手段は、前記支持部の前記両端部からそれぞれ前記第１の方向に沿って、前記調整部に当接するまでねじ込まれ、前記支持部の前記第１の方向における位置を調整できるように構成されている第１の調整手段と、前記調整部及び前記支持部の前記両端にそれぞれ形成されている前記第１の調整孔及び前記第２の調整孔を前記第２の方向に沿って挿通するように配置されている２つの調節棒、及び、前記調整部の前記固定フレームに面する側に当接するヘッド部と、前記調節棒を貫通するように延伸して末端が前記ヘッド部と螺結されているねじ部と、前記調整部の前記支持部に面する側に当接するように前記ねじ部の先端から張り出すフランジ部と、を有するように形成されている２つの第２の調整ボルトを有し、前記支持部の前記第１の方向における両端それぞれに設置されている第２の調整手段と、を有するように構成されていることを特徴とするディスプレイ支持装置を提供する。
【考案の効果】
【０００８】
上記構成により、本考案のディスプレイ支持装置は、ディスプレイ支持フレームが有する第１の係合部と固定フレームが有する第２の係合部とが互いに離脱可能に係合することができるので、ディスプレイ支持装置を設置または調整する時に、第１の係合部と第２の係合部とが互いに係合されている収納状態から、第１の係合部と第２の係合部との係合を解除すると、固定フレームとディスプレイ支持フレームとが付勢部が与える付勢力により離れて、ディスプレイ支持装置を設置または調整しやすい展開状態になり、従来のディスプレイ支持装置よりディスプレイの設置作業または調整がしやすくなる。
【図面の簡単な説明】
【０００９】
【図１】本考案のディスプレイ支持装置の一実施形態の斜視図である。
【図２】上記実施形態のディスプレイ支持装置の部品分解図である。
【図３】上記実施形態のディスプレイ支持装置の断面図である。
【図４】上記実施形態のディスプレイ支持装置のディスプレイ支持フレームの部品分解図である。
【図５】上記実施形態のディスプレイ支持装置のディスプレイ支持フレームの部分部品分解図である。
【図６】上記実施形態のディスプレイ支持装置の係合突起が開口に進入することを示す下視図である。
【図７】上記実施形態のディスプレイ支持装置の係合突起が第１の当接面に当接することを示す下視図である。
【図８】上記実施形態のディスプレイ支持装置の係合突起が係合面に当接することを示す下視図である。
【図９】上記実施形態のディスプレイ支持装置の係合突起が第２の当接面に当接することを示す下視図である。
【図１０】上記実施形態のディスプレイ支持装置の固定フレームとディスプレイ支持フレームとが互いに係合されていることを示す斜視図である。
【図１１】上記実施形態のディスプレイ支持装置がレールに設置されていることを示す側視図である。
【図１２】上記実施形態のディスプレイ支持装置がレールに設置された場合の、該ディスプレイ支持装置の収納状態及び展開状態をそれぞれ示す斜視図である。
【図１３】複数の上記実施形態のディスプレイ支持装置を用いてディスプレイを支持することを示す正面図である。
【図１４】２つの上記実施形態のディスプレイ支持装置を用いて１つのディスプレイを支持する場合の、該ディスプレイ支持装置の収納状態及び展開状態をそれぞれ示す斜視図である。
【図１５】複数のディスプレイをそれぞれ２つの上記実施形態のディスプレイ支持装置を用いて支持することを示す前視図である。
【考案を実施するための形態】
【００１０】
以下では各図面を参照しながら、本考案の好ましい実施形態について詳しく説明する。
【００１１】
本考案のディスプレイ支持装置は、図１及び図２に示されるように、支持手段１０と、調節手段６０と、を有するように構成されている。
【００１２】
支持手段１０は、図１及び図２に示されるように、ディスプレイを支持することができるように構成され、且つ、第１の係合部８１を有するディスプレイ支持フレーム５と、第１の係合部８１と離脱可能に係合することができるように構成されている第２の係合部８２を有する固定フレーム３と、第１の係合部８１が第２の係合部８２に係合されている際に、固定フレーム３とディスプレイ支持フレーム５とを互いに離れさせる付勢力を与える付勢部８３と、固定フレーム３とディスプレイ支持フレーム５との間に設置され、固定フレーム３とディスプレイ支持フレーム５とが互いに接近したり離間したりできるように固定フレーム３とディスプレイ支持フレーム５とを連接している連接フレーム４と、を有するように構成されている。
【００１３】
図３等に示されているように、第２の係合部８２は、係合突起８２１を有している。また、第１の係合部８１は、図６等に示されているように、係合突起８２１を受入れて係合突起８２１が摺動することができる係合凹部８１１が画成されていると共に、係合突起８２１に対応して、係合突起８２１が係合凹部８１１に出入自由になるように開けられている開口８１２と、係合凹部８１１に進入した係合突起８２１と係合して係合突起８２１が係合凹部８１１内から開口８１２へ移動することを阻止できるように形成されている係合面８１４を有する係合ブロック８１６と、を備えているように形成されている。
【００１４】
なお、本実施形態とは逆に、ディスプレイ支持フレーム５が第２の係合部８２を有し、且つ、固定フレーム３が第１の係合部８１を有するように構成することもできる。
【００１５】
係合凹部８１１内には、第１の案内路８１ａと、第２の案内路８１ｂと、第３の案内路８１ｃと、第４の案内路８１ｄと、が係合ブロック８１６の回りに画成されている。
【００１６】
図６に示されるように、第１の案内路８１ａは、係合突起８２１が開口８１２から係合凹部８１１内に進入する方向における一側にあって、開口８１２と連通し、開口８１２から係合凹部８１１に進入した係合突起８２１を、係合面８１４側に面し、係合突起８２１に当接することにより、固定フレーム３とディスプレイ支持フレーム５との更なる接近を阻止することができる第１の当接面８１３まで案内することができるように画成されている。
【００１７】
第２の案内路８１ｂは、第１の当接面８１３に到達した係合突起８２１を係合面８１４まで案内することができるように画成されている。
【００１８】
第３の案内路８１ｃは、係合面８１４に到達した係合突起８２１を、前記一側の反対側において開口８１２側に面し、係合突起８２１に当接することにより、固定フレーム３とディスプレイ支持フレーム５との更なる接近を阻止することができる第２の当接面８１５まで案内することができるように画成されている。
【００１９】
第４の案内路８１ｄは、前記一側の反対側にあって、第２の当接面８１５に到達した係合突起８２１を開口８１２まで案内することができるように画成されている。
【００２０】
この実施形態において、付勢部８３は、図３に示されるように、第１の係合部８１が第２の係合部８２に係合されている際に、即ち、係合突起８２１が係合面８１４に係合されている際に、ディスプレイ支持フレーム５に固定フレーム３から離れさせる付勢力を与えるように、ディスプレイ支持フレーム５に設置されているバネである。なお、付勢部８３は固定フレーム３に設置することもできる。
【００２１】
更に、図６に示されるように、第１の案内路８１ａは、係合ブロック８１６に、開口８１２に面しながらディスプレイ支持フレーム５側及び係合凹部８１１の前記一側へ斜めに延伸して係合突起８２１を係合凹部８１１の前記一側へ案内するように形成されている第１の案内面８１６ａと、係合凹部８１１の前記一側に、前記一側と係合ブロック８１６を挟んで反対側にある他側に面しながら係合突起８２１を第１の当接面８１３まで案内できるように形成されている第２の案内面８１７と、係合突起８２１のディスプレイ支持フレーム５側及び係合凹部８１１の前記他側への移動を阻止するように湾曲に形成されている第１の当接面８１３と、により画成されている。
【００２２】
第２の案内路８１ｂは、係合ブロック８１６における第１の案内面８１６ａの反対側に、ディスプレイ支持フレーム５側に面しながら固定フレーム３側及び係合凹部８１１の前記他側へ斜めに延伸して係合突起８２１を係合面８１４まで案内するように形成されている第３の案内面８１６ｂと、係合突起８２１の開口８１２側及び係合凹部８１１の前記他側への移動を阻止するように湾曲に形成されている係合面８１４と、により画成されている。
【００２３】
第３の案内路８１ｃは、第１の当接面８１３と連続して、係合面８１４に面しながらディスプレイ支持フレーム５側及び係合凹部８１１の前記他側へ斜めに延伸して係合突起８２１を第２の当接面８１５まで案内するように形成されている第４の案内面８１８と、係合突起８２１のディスプレイ支持フレーム５側及び係合凹部８１１の前記他側への移動を阻止するように湾曲に形成されている第２の当接面８１５と、により画成されている。
【００２４】
第４の案内路８１ｄは、係合凹部８１１の前記他側に、第２の当接面８１５と連続して、係合凹部８１１の前記一側に面しながら開口８１２へ延伸して係合突起８２１を開口８１２へ案内するように形成されている第５の案内面８１９と、係合ブロック８１６に、第５の案内面８１９に面しながら開口８１２へ延伸して係合突起８２１を開口８１２へ案内するように形成されている第６の案内面８１６ｃと、により画成されている。
【００２５】
固定フレーム３は、図１及び図２に示されるように、第１の方向Ｘ（図１における上下方向）に沿って延伸するフレーム本体３０を有している。
【００２６】
フレーム本体３０は、第１の方向Ｘに沿って延伸し、且つ、その一面がディスプレイ支持フレーム５に面する板状体として形成された底板３１と、底板３１の第１の方向Ｘ及び固定フレーム３とディスプレイ支持フレーム５とが互いに接近／離間する第３の方向Ｚ（図１における前後方向）と略直交する第２の方向Ｙ（図１における左右方向）における両端縁それぞれからディスプレイ支持フレーム５へ平行に延伸するように形成されている一対の第１の側壁３８と、一対の第１の側壁３８の第１の方向Ｘにおける一端側に、互いに対称するように第１の方向Ｘに沿って開けられている一対の第１の摺動孔３２と、を有している。
【００２７】
この実施形態において、一対の第１の摺動孔３２は、フレーム本体３０の下半部に開けられ、固定フレーム３は、図１０及び図１１に示されるように、略第２の方向Ｙに沿って延伸する取付け突起３９１と、複数の当接孔３９２とが形成され、第２の方向Ｙに沿って延伸するように壁に固定されているレール３９を更に有している。
【００２８】
フレーム本体３０は、底板３１から張り出し、フレーム本体３０をレール３９の取付け突起３９１に摺動可能に取り付けるように構成されている設置部３３と、底板３１に回転自在に枢設されていると共に、フレーム本体３０のレール３９に対する摺動を案内することができる転動輪３４（図３参照）と、第１の側壁３８に取付けられ、レール３９の当接孔３９２内に進入して当接孔３９２の周縁においてレール３９に当接してフレーム本体３０のレール３９に対する摺動を阻止できるロック位置と、当接孔３９２内に進入せずフレーム本体３０のレール３９に対する摺動を阻止しないリリース位置との間に揺動可能に枢設されている当接部３５と、を更に有していると共に、底板３１と設置部３３との間に、レール３９の取付け突起３９１が進入できる取付け空間３７が画成されている。
【００２９】
なお、上記構成において、第１の方向Ｘと第２の方向Ｙとは直交する方向である必要はなく、第１の方向Ｘと第２の方向Ｙが交わる角度を他の角度に調整して構成することも可能である。
【００３０】
ディスプレイ支持フレーム５は、図４に示されるように、調整部５１と、支持部５２と、を有するように構成されている。
【００３１】
調整部５１は、第１の方向Ｘに沿って延伸し、且つ、その一面が固定フレーム３に面する板状体として形成された調整部底板５１４と、調整部底板５１４の第２の方向Ｙにおける両端縁である左右両端縁それぞれから固定フレーム３へ平行に延伸するように形成されている一対の第２の側壁５１１と、一対の第２の側壁５１１の第１の方向Ｘにおける一端側に、互いに対称するように第１の方向Ｘに沿って開けられている一対の第２の摺動孔５１５と、調整部底板５１４の第１の方向Ｘにおける両端である上下両端から固定フレーム３へ互いに平行に延伸して一対の第２の側壁５１１の第１の方向Ｘにおける両端それぞれを連接するように形成されている２つの第１の当接壁５１２と、２つの第１の当接壁５１２の固定フレーム３に臨む先端それぞれから第１の方向Ｘに沿って互いに向き合うように延伸するように形成されている２つの第２の当接壁５１３と、一対の第２の側壁５１１の第１の方向Ｘにおける両端部それぞれに、互いに対称して第３の方向Ｚに沿って延伸するように開けられている二対の第１の調整孔５１６と、を有するように形成されている。
【００３２】
この実施形態において、一対の第２の摺動孔５１５は、図２及び図３に示されるように、調整部５１の下半部に開けられ、二対の第１の調整孔５１６はそれぞれ、第２の側壁５１１の調整部底板５１４と第２の当接壁５１３とに挟まれた部分に開けられている。
【００３３】
支持部５２は、図４に示されるように、第１の方向Ｘに沿って延伸し、且つ、その一面が調整部５１に面する板状体として形成され、ディスプレイを取り付けて支持することができるように形成されている取付け部５２７を有している取付け板５２１と、取付け板５２１の第２の方向Ｙにおける両端縁である左右両端縁から一対の第２の側壁５１１の外側で一対の第２の側壁５１１と平行して第１の方向Ｘに沿って延伸するように形成されている一対の第３の側壁５２２と、第１の方向Ｘにおける両端である上下両端それぞれに、２つの第１の当接壁５１２の外側で２つの第１の当接壁５１２と平行するように構成されている一対の穿設壁５２３と、一対の第３の側壁５２２の第１の方向Ｘにおける両端部それぞれに、互いに対称して第１の方向Ｘに沿って延伸するように開けられている第２の調整孔５２６と、を有するように形成されている。
【００３４】
取付け板５２１と一対の第３の側壁５２２と一対の穿設壁５２３とにより、調整部５１を収容する収容空間５２５を画成している。
【００３５】
この実施形態において、図５に示されるように、調整部５１の下端にある第１の当接壁５１２と支持部５２の穿設壁５２３および一対の第２の調整孔５２６とは、ねじで一対の第３の側壁５２２に固定されている結合部５２４として構成されている。
【００３６】
連接フレーム４は、図２及び図３に示されるように、回動及び摺動自由に第２の摺動孔５１５に挿し込まれている第１の摺動突起４１１と、回動自由に固定フレーム３の第１の摺動孔３２が形成されている端部の反対端部に枢設され、第１の摺動突起４１１の反対側にある第１の回動軸４１２とがそれぞれ突起するように形成されている第１の連接棒４１と、回動及び摺動自由に第１の摺動孔３２に挿し込まれている第２の摺動突起４２１と、回動自由にディスプレイ支持フレーム５の第２の摺動孔５１５が形成されている端部の反対端部に枢設され、第２の摺動突起４２１の反対側にある第２の回動軸４２２とがそれぞれ突起するように形成されている第２の連接棒４２と、を有するように構成されている上、第１の連接棒４１と第２の連接棒４２とは、それぞれの前記摺動突起及び前記回動軸の間にある中間部分において互いに回動自由に枢接されている。
【００３７】
この実施形態において、第１の回動軸４１２は、固定フレーム３の上端部に枢設され、第１の摺動突起４１１は固定フレーム３の下半部に開けられている第２の摺動孔５１５に挿し込まれている。また、第２の回動軸４２２は、ディスプレイ支持フレーム５の上端部に枢設され、第２の摺動突起４２１は固定フレーム３の下半部に開けられている第１の摺動孔３２に挿し込まれている。
【００３８】
更に、図１及び図２に示されるように、第１の連接棒４１には、第１の係合部８１が第２の係合部８２に係合されている際にディスプレイ支持フレーム５に設置されている付勢部８３が固定フレーム３に当接して付勢力を与えることができるように、付勢部８３を通すための通過孔４１３が開けられている。
【００３９】
なお、固定フレーム３は、図１０に示されるように、第１の係合部８１と第２の係合部８２とが互いに係合されている際に、ディスプレイ支持フレーム５が固定フレーム３から離れる移動を阻止するように、ディスプレイ支持フレーム５の上端部に枢設されている第２の連接棒４２の第２の回動軸４２２に係合することができる第３の係合部３６を更に有している。
【００４０】
調節手段６０は、図４に示されるように、第１の調整手段６と第２の調整手段７と、により構成されている。
【００４１】
第１の調整手段６は、支持部５２の一対の穿設壁５２３からそれぞれ第１の方向Ｘに沿って貫穿して、調整部５１の２つの第１の当接壁５１２にそれぞれ当接するまでねじ込まれ、支持部５２の第１の方向Ｘにおける位置を調整できるように構成されている２つの第１の調整ボルト６１を有している。
【００４２】
第２の調整手段７は、調整部５１及び支持部５２の両端部にそれぞれ形成されている第１の調整孔５１６及び第２の調整孔５２６を第２の方向Ｙに沿って挿通するように配置されている２つの調節棒７１、及び、第２の当接壁５１３に当接するヘッド部７２２と、第２の当接壁５１３、調整部底板５１４及び調節棒７１を貫通するように延伸して末端がヘッド部７２２と螺結されているねじ部７２１と、調整部底板５１４の支持部５２に面する側から調整部底板５１４に当接するようにねじ部７２１の先端から張り出すフランジ部７２０とを有するように形成されている２つの第２の調整ボルト７２を有し、調整部５１の第１の方向Ｘにおける両端それぞれに設置されている。
【００４３】
上記の構成によれば、本考案のディスプレイ支持装置は、固定フレーム３とディスプレイ支持フレーム５とが互いに離れている展開状態と、第１の係合部８１と第２の係合部８２とが互いに係合して固定フレーム３とディスプレイ支持フレーム５とが接近した収納状態との２つの状態（例えば図１２における左側と右側それぞれの状態）の間に転換できる。
【００４４】
本考案のディスプレイ支持装置を展開状態から収納状態に転換する際には、先ず、ディスプレイ支持フレーム５を固定フレーム３へ押すと、ディスプレイ支持フレーム５が有する第１の係合部８１が固定フレーム３が有する第２の係合部８２に接近され、図６に示されるように係合突起８２１が開口８１２を経由して係合凹部８１１内に進入する。係合凹部８１１内に進入した係合突起８２１は、第１の案内路８１ａで第１の案内面８１６ａに接触して、第１の案内面８１６ａの傾斜により係合凹部８１１の前記一側（図中左側）にある第２の案内面８１７へ案内され、そして、第２の案内面８１７に接触して、図７に示されるように第１の当接面８１３に当接するまで案内される。次いで、ディスプレイ支持フレーム５を固定フレーム３へ押す力を解除すると、付勢部８３の固定フレーム３とディスプレイ支持フレーム５とを互いに離れさせる付勢力により、係合突起８２１は開口８１２側へ移動して、第３の案内面８１６ｂに接触し、第３の案内面８１６ｂの傾斜により、係合面８１４に当接するまで案内される。係合面８１４に当接することにより、係合突起８２１の開口８１２への移動が阻止され、第１の係合部８１と第２の係合部８２とが互いに係合されている収納状態になる。
【００４５】
また、収納状態から展開状態に転換する際には、先ず、ディスプレイ支持フレーム５を固定フレーム３へ押すと、図８に示されるように係合突起８２１は、第３の案内路８１ｃで第４の案内面８１８に接触して、図９に示されるように第４の案内面８１８の傾斜により係合凹部８１１の前記他側（図中右側）にある第２の当接面８１５まで案内される。次いで、ディスプレイ支持フレーム５を固定フレーム３へ押す力を解除すると、付勢部８３の固定フレーム３とディスプレイ支持フレーム５とを互いに離れさせる付勢力により、係合突起８２１は開口８１２側へ移動して、第５の案内面８１９及び第６の案内面８１６ｃに接触し、第５の案内面８１９及び第６の案内面８１６ｃそれぞれの傾斜により、開口８１２まで案内される。従って、第１の係合部８１と第２の係合部８２との係合を解除することができ、付勢部８３の固定フレーム３とディスプレイ支持フレーム５とを互いに離れさせる付勢力により、ディスプレイ支持フレーム５が固定フレーム３から離れて展開状態になる。
【００４６】
従って、本考案のディスプレイ支持装置は、第１の係合部８１と第２の係合部８２とが互いに係合されている収納状態から、第１の係合部８１と第２の係合部８２との係合を解除すると、固定フレーム３とディスプレイ支持フレーム５とが付勢部８３が与える付勢力により離れて、ディスプレイの設置または設置後の調整がしやすい展開状態になることができるので、従来のディスプレイ支持装置よりも、ディスプレイの設置作業または調整がしやすくなる。
【００４７】
例えば、図１３及び図１５に示されるように、複数のディスプレイ２０が本考案のディスプレイ支持装置１を用いて収納状態で並べられている場合に、真ん中のディスプレイ２０の位置を調整する際に、該ディスプレイ２０を押すと、該ディスプレイ２０が引き出されて、調整しやすい展開状態になる。
【００４８】
また、第１の調整手段６の調整方法について、２つの第１の調整ボルト６１を第１の方向Ｘに沿って調整すると、支持部５２が第１の方向Ｘに沿って移動するので支持部５２の上下位置を調節することができる。例えば、２つの第１の調整ボルト６１を回転して上方へ移動させると、支持部５２の位置が上方へ調節される。
【００４９】
第２の調整手段７の調整方法について、２つの第２の調整ボルト７２を回転すると、調節棒７１は第１の方向Ｘに沿って延伸する第２の調整孔５２６に嵌め入れられているので、支持部５２が第３の方向Ｚに沿って移動されて支持部５２の前後位置を調節することができる。また、いずれか１つの第２の調整ボルト７２を回転すると、支持部５２の一端が第３の方向Ｚに沿って移動されて傾斜した状態になるので、支持部５２の傾斜角度を調節することができる。
【００５０】
なお、図１２及び図１３に示されるように、本考案のディスプレイ支持装置１を１つ用いて１つのディスプレイを支持してもよく、また、図１４及び図１５に示されるように、本考案のディスプレイ支持装置１を２つ用いて１つのディスプレイを支持してもよい。
【産業上の利用可能性】
【００５１】
本考案のディスプレイ支持装置は、一般のディスプレイを支持することに適用でき、複数のディスプレイで１つの映像を映す際に、その複数のディスプレイをそれぞれ支持することに特に好適である。
【符号の説明】
【００５２】
１  ディスプレイ支持装置
１０  支持手段
２０  ディスプレイ
６０  調節手段
Ｘ  第１の方向
Ｙ  第２の方向
Ｚ  第３の方向
３  固定フレーム
３０  フレーム本体
３１  底板
３２  第１の摺動孔
３３  設置部
３４  転動輪
３５  当接部
３６  第３の係合部
３７  取付け空間
３８  第１の側壁
３９  レール
３９１  取付け突起
３９２  当接孔
４  連接フレーム
４１  第１の連接棒
４１１  第１の摺動突起
４１２  第１の回動軸
４１３  通過孔
４２  第２の連接棒
４２１  第２の摺動突起
４２２  第２の回動軸
５  ディスプレイ支持フレーム
５１  調整部
５１１  第２の側壁
５１２  第１の当接壁
５１３  第２の当接壁
５１４  調整部底板
５１５  第２の摺動孔
５１６  第１の調整孔
５２  支持部
５２１  取付け板
５２２  第３の側壁
５２３  穿設壁
５２４  結合部
５２５  収容空間
５２６  第２の調整孔
５２７  取付け部
６  第１の調整手段
６１  第１の調整ボルト
７  第２の調整手段
７１  調節棒
７２  第２の調整ボルト
７２０  フランジ部
７２１  ねじ部
７２２  ヘッド部
８１  第１の係合部
８１１  係合凹部
８１ａ  第１の案内路
８１ｂ  第２の案内路
８１ｃ  第３の案内路
８１ｄ  第４の案内路
８１２  開口
８１３  第１の当接面
８１４  係合面
８１５  第２の当接面
８１６  係合ブロック
８１６ａ  第１の案内面
８１６ｂ  第３の案内面
８１６ｃ  第６の案内面
８１７  第２の案内面
８１８  第４の案内面
８１９  第５の案内面
８２  第２の係合部
８２１  係合突起
８３  付勢部
【図１】
0003204051.tif 000003
【図２】
0003204051.tif 000004
【図３】
0003204051.tif 000005
【図４】
0003204051.tif 000006
【図５】
0003204051.tif 000007
【図６】
0003204051.tif 000008
【図７】
0003204051.tif 000009
【図８】
0003204051.tif 000010
【図９】
0003204051.tif 000011
【図１０】
0003204051.tif 000012
【図１１】
0003204051.tif 000013
【図１２】
0003204051.tif 000014
【図１３】
0003204051.tif 000015
【図１４】
0003204051.tif 000016
【図１５】
0003204051.tif 000017